(57)【要約】  持運び可能な電子装置用の支持体（１）は、長手方向へ対向する第１および第２のエッジ（３、４）によって範囲を規定された縦軸（Ｘ）に沿って主に長手方向の展開を持つ本体（２）と、本体（２）の対向端に設けられ、それぞれが第１および第２のエッジ（３、４）に面する面（２０Ａ、２１Ａ）を有し、確動カップリングでそれぞれのエッジ（３、４）に結合されるように形作られた第１および第２の把持付属物（２０、２１）と、操作用の支持体（２）に第１および第２の把持付属物（２０、２１）を接続するための接続手段（２３、２４、２５、２７）であって、第１および第２の付属物（２０、２１）に、回転軸（Ｚ′）の回りに本体（２）に対して回転することを許容するように形作られた接続手段とを備え、第１および第２のエッジ（３、４）は、（ａ）≦４５°の角度で縦軸（Ｘ）に対して傾斜され、回転軸（Ｚ′）が第１および第２のエッジ（３、４）に対して垂直であるので、第１および第２の把持付属物（２０、２１）が本体（２）と一直線に合わせられたコンパクト輸送形態（Ｗ）と、第１および第２の把持付属物（２０、２１）が本体（２）に対して横方向に位置決めされた操作形態（Ｙ）との間で、回転によって、第１および第２の把持付属物（２０、２１）は本体（２）に対して回転され得る。【選択図】図１、３
2019508636.tif 000002
【特許請求の範囲】
【請求項１】
持運び可能な電子装置用の支持体（１）であって、
長手方向へ対向する第１および第２のエッジ（３、４）によって範囲を制限された縦軸（Ｘ）に沿って主に長手方向の展開を持つ本体（２）と、前記本体（２）の対向端に設けられ、前記第１および第２のエッジ（３、４）にそれぞれ面する面（２０Ａ，２１Ａ）をそれぞれ有し、確動カップリングで前記それぞれのエッジ（３、４）に結合されるように形作られた第１および第２の把持付属物（２０、２１）と、前記第１および第２の把持付属物（２０、２１）を前記本体（２）に連動するための接続手段であって、前記第１および第２の付属物（２０、２１）に、回転軸（Ｚ′）の回りで前記本体（２）に対して回転することを許容するように形作られた接続手段（２３、２４、２５、２７）とを備え、
前記第１および第２のエッジ（３、４）が、（α）≦４５°の角度で前記縦軸（Ｘ）に対して傾斜され、
前記回転軸（Ｚ′）が前記第１および第２のエッジ（３、４）に対して垂直であるので、前記第１および第２の把持付属物（２０、２１）が前記本体（２）と一直線に合わせられたコンパクト輸送形態（Ｗ）と、前記第１および第２の把持付属物（２０、２１）が前記本体（２）に対して横方向へ位置決めされた操作形態（Ｙ）との間で、回転によって、前記第１および第２の把持付属物（２０、２１）が前記本体（２）に対して回転可能である支持体。
【請求項２】
請求項１に記載の支持体において、
前記角度（α）は約４５°に等しい支持体。
【請求項３】
請求項１または２に記載の支持体において、
前記接続手段（２３）は、前記本体（２）と前記第１および第２の把持付属物（２０、２１）との間でそれぞれ作動的に介在され、前記第１および第２の把持付属物（２０、２１）と前記本体（２）とのうちの一方に対して回転可能であるネジ（２４）を備えている支持体。
【請求項４】
請求項３に記載の支持体において、
前記ネジ（２４）は、ヘッド（２７）と、それ自身の縦軸（Ｚ′）に沿って前記ヘッド（２７）から延びるネジ山ボディ（２５）とを備えている支持体。
【請求項５】
請求項４に記載の支持体において、
前記ヘッド（２７）は、第１または第２の部分（５、６）内でそれぞれ規定されたシート（２８）にスライド自在に収容され、前記ネジ山ボディ（２５）は、前記第１または第２の把持付属物（２０、２１）内にそれぞれ設けられた締結シート（２６）に挿入されている支持体。
【請求項６】
請求項５に記載の支持体において、
前記ネジ（２４）は、前記回転軸（Ｚ′）と実質的に一致する自身の縦軸に沿って延びるネジ山ボディ（２５）を備えている支持体。
【請求項７】
請求項１〜６のいずれか一項に記載の支持体において、
前記本体（２）は、伸縮自在であり、互いに対して移動可能である複数のスライド要素（５、６）を備え、前記縦軸（Ｘ）に沿って前記本体（２）の全長を変えるようにしている支持体。
【請求項８】
請求項７に記載の支持体において、
互いに対して所望の位置に前記スライド要素（５、６）をロックするためのロック装置（１０、１１）をさらに備えている支持体。
【請求項９】
請求項５に記載の支持体において、
前記本体（２）に収容され、前記第１および第２の把持付属物（２０、２１）の間で作動的に介在され、互いに向けて前記第１および第２の把持付属物（２０、２１）を引っ張るとともにそれらを前記本体（２）に抗して押圧するように形作られた弾性引張装置をさらに備えている支持体。
【請求項１０】
請求項１〜９のいずれか一項に記載の支持体において、
前記把持付属物（２０、２１）と前記本体（２）との間で相対的な方向を調整するとともに、前記把持付属物（２０、２１）と前記本体（２）との間で相対的な回転をロックするための調整装置（６０）をさらに備えている支持体。
【請求項１１】
請求項１０に記載の支持体において、
前記調整装置（６０）は、それぞれの把持付属物（２０、２１）ごとに、前記面（２０Ａ、２１Ａ）または前記傾斜エッジ（３、４）から部分的に突出するようにそれぞれのスプリング（６２、６２Ａ）によってそれぞれ押圧された一対のボール（６１、６１Ａ）と、前記傾斜エッジ（３、４）または前記面にそれぞれ形成されるとともに、前記ボール（６１、６１Ａ）を受け入れるように位置決めされた一対の凹部（６３、６３Ａ）とを備えている支持体。
【請求項１２】
請求項１１に記載の支持体において、
前記ボール（６１、６１Ａ）と前記凹部（６３、６３Ａ）とは、前記回転軸（Ｚ′）に対して互いに１８０°で位置決めされている支持体。
【請求項１３】
請求項１〜１２のいずれか一項に記載の支持体において、
三脚または一脚などのような支持装置に前記支持体（１）を締め付け固定するための締結要素（５０）をさらに備えている支持体。
【請求項１４】
請求項１〜１３のいずれか一項に記載の支持体において、
それぞれの把持付属物（２０、２１）の横壁（３０、３１）に位置決めされ、前記操作形態（Ｙ）では前記他の把持付属物（２０、２１）に向けられるよう設計され、１つの電子装置（１００）の側端縁（１０１）を受け入れかつ支持するよう設計されたシーリング要素（３５）をさらに備えている支持体。
【請求項１５】
請求項１４に記載の支持体において、
前記シーリング要素（３５）は、ゴム、または、変形可能でありおよび／または優れた摩擦係数を有する他の材料からなる支持体。
【請求項１６】
請求項１４または１５に記載の支持体において、
前記シーリング要素（３５）は、前記横壁（３０、３１）から突出するように位置決めされている支持体。
【請求項１７】
請求項１４〜１６のいずれか一項に記載の支持体において、
前記シーリング要素（３５）は、前記電子装置（１００）の位置決めを容易にするために凹状である外形（３５Ａ）を有している支持体。
【請求項１８】
請求項１〜１７のいずれか一項に記載の支持体において、
前記本体（２）は、ゴムまたは他の適切な材料からなる挿入物を設けられ、前記支持体上で前記電子装置（１００）の把持を向上するよう設計されている支持体。
【発明の詳細な説明】
【技術分野】
【０００１】
本発明は、持運び可能な電子装置用の支持体に関する。
【背景技術】
【０００２】
発明に係る支持体は特に、スマートフォン、衛星ナビゲーションもしくはＧＰＳシステム、コンパクトビデオカメラ、またはポータブルデジタル音楽プレーヤーを支持するための使用に適している。
【発明の概要】
【発明が解決しようとする課題】
【０００３】
持運び可能な電子装置は、様々な状況でますます一般的に使用され、当該装置によって提供される様々な機能のうち１つ以上は、異なる場合（時）に使用される。
【０００４】
たとえば、スマートフォンは、電話を掛けもしくは電話を受けるためだけでなく音楽を聴きもしくは動画（映像、ビデオ）を録画するために使用されてもよく、ナビゲーション装置として、たとえば、人工衛星ナビゲータまたは対話型ナビゲータとして使用されてもよい。
【０００５】
最善の方法で上述の機能を実行するために、たとえば、正確に演奏する目的または撮影動画が高画質であることを確保する目的で、スマートフォンは、所望の支持面に正確に位置決めされなければならない。
【０００６】
しかしながら、非常に頻繁に、この装置のユーザは、正しい使用に適する支持体を所有しておらず、即席で作られた支持体または一時的に改造された支持体に電子装置を位置決めするために最前を尽くさなければならない。このことは、撮影動画の質または制作音楽の質にネガティブ効果を及ぼす。
【０００７】
さらに、その装置が、ナビゲーション装置として使用されるならば、ぐらつかない方法であってユーザにとって目に見えかつ買いやすいような方法で位置決めされなければならず、車両の移動時に落下するのを防止するために車両内にしっかりと位置決めされなければならない。
【０００８】
車両のダッシュボードに締め付け固定されるとともに、ナビゲーション装置を支持する目的で特に設計かつ準備された、ナビゲーション装置用の支持装置が知られている。これらの支持装置は通常かさばり、車両からの取外しに適していない。大抵場合には、ナビゲータは、支持体から取り外され、後者の装置を車両内に固定したままにしている。
【０００９】
さらに、これらの支持装置は、特定のタイプのナビゲーション装置を支持するために設計され、それらの装置と異なるサイズまたは形状の装置を支持する際には適さず、支持体は明確にかかる装置に向いている。
【００１０】
したがって、前述の難題を克服するように構成された、持運び可能な電子装置用の支持体を提供する必要が生じる。
【００１１】
発明の１つの目的は、全体寸法を制限したので容易に輸送され得る、持運び可能な電子装置用の支持体を提供することである。
【００１２】
別の目的は、異なるサイズおよび形状の持運び可能な電子装置を支持するため使用に適するような方法で構成された、持運び可能な電子装置用の支持体を提供することである。
【００１３】
別の目的は、位置決めするのが容易な持運び可能な電子装置用の支持体を提供する一方、それに締め付け固定され、ぐらつかずかつ安全な持運び可能な電子装置用の支持体を提供することでもある。
【図面の簡単な説明】
【００１４】
発明の特徴および利点は、発明の実施形態の好適な例の詳細な説明からさらに十分に明らかになり、参考のため限定されない方法で、以下の添付図面を参照して図示されるだろう。
【図１】コンパクト輸送形態における、発明に係る支持体の異なる角度からの斜視図である。
【図２】コンパクト輸送形態における、発明に係る支持体の異なる角度からの斜視図である。
【図３】操作形態における、図１の支持体の斜視図である。
【図４】図３の支持体の平面図である。
【図５】図４の支持体と類似するが、断面の図である。
【図５Ａ】図５の詳細Ａの拡大図である。
【図６】１つの電子装置との使用時における、図３の支持体の平面図である。
【図７】図６の支持体の異なる角度からの斜視図である。
【図８】図６の支持体の異なる角度からの斜視図である。
【図９】図４の平面ＩＸ−ＩＸに沿って取られた拡大断面図であり、発明に係る支持体をロックするための装置に関する。
【発明を実施するための形態】
【００１５】
添付図を参照して、発明に従って組み立てられた持運び可能な電子装置用の支持体１が示されている。
【００１６】
発明に係る支持体は、図６〜図８で示されたスマートフォンなどのようなスマートフォンの支持体としての使用に特に適している。しかしながら、発明に係る支持体は、他の持運び可能な電子装置、たとえば、衛星ナビゲーション装置もしくはＧＰＳシステム、コンパクトビデオカメラ、またはポータブルデジタル音楽プレーヤーを支持するためにも使用されるかもしれない。
【００１７】
支持体１は、細長い形状を持ち、縦軸（長手方向の軸）Ｘに沿って突き出た長手方向の延長部分を有する本体２を備えている。
【００１８】
好適には、本体２は実際には、平行六面体形状であり、２つの対向するベース面Ｓ、Ｓ′と、２つの対向する丸みエッジ２Ａ、２Ｂと、長手方向へ対向する第１および第２のエッジ３、４とにより範囲を定められている。
【００１９】
第１および第２のエッジ３、４は、図４で示された角度α（≦４５°）で縦軸Ｘに対して傾斜されている。例示された説明では、２つの対向するエッジ３、４は、約４５°の角度αで縦軸Ｘに対して傾斜されている。
【００２０】
支持体１の本体２は好適には伸縮自在であり、すなわち、当該本体は、縦軸Ｘに沿って互いに対して移動され得る少なくとも２つのスライド要素を備え、縦軸Ｘに沿って本体２の全体にわたる延長部分、すなわち、第１のエッジ３と第２のエッジ４との間の距離を変えるようにしている。
【００２１】
例示された説明では、本体２は、縦軸Ｘに沿って互いに対して移動可能である第１の部分５と第２の部分６とを備えている。
【００２２】
第１の部分５と第２の部分６とは、第１のエッジ３または第２のエッジ４のそれぞれによって、および、第１の内面５Ａと第２の内面６Ａとのそれぞれによって縦軸Ｘに沿って範囲を定められている。
【００２３】
したがって、第１および第２の部分５、６の内面５Ａ、６Ａは、第１のエッジ３と第２のエッジ４とに対してそれぞれ縦軸Ｘに沿って対向している。
【００２４】
図５においてもっと明確に見られるように、第１の部分５は、縦軸Ｘに沿って延びるとともに、本体２の第１の部分５に面する位置に、第２の部分６に締め付け固定された付属物８をスライド可能な方法で収容するよう設計された内部空洞７を備えている。
【００２５】
付属物８は、引き込み位置と引き出し位置との間では、以下でさらに十分に説明されるように、互に対して第１および第２の部分の移動の結果として内部空洞７の内部に縦軸Ｘに沿ってスライド（摺動）するよう設計され、支持体１の全長を変えるようにしている。
【００２６】
付属物８には、内部空洞７からの付属物８の引き出しを停止するよう設計された停止要素が設けられている。
【００２７】
本体２は、互いに対して第１の部分５と第２の部分６との動きを、すなわち、内部空洞７に対して付属物８のスライドを許容または防止するために作動されるよう設計されたロック装置１０をさらに備えている。
【００２８】
ロック装置１０は、支持体１のユーザによって利用され得るような方法で第１の部分５の外側に位置決めされて、ロック装置１０の把持要素１２の作動により回転されるナット１１を備えており、操作のためナット１１に接続され、第１の部分５の内側に配置されている。
【００２９】
把持要素１２を動かすことにより、第１の部分５と第２の部分６とは、所望の形態で互いに対してそれらをロックするために、または、それらを解放して互いに対してそれらの動きを許容するために、互いに対して動かされ、したがって縦軸Ｘに沿って本体２の全体にわる延長部分を変えることができる。
【００３０】
把持要素１２は、有利には、縦軸Ｘに対して垂直な軸に沿って移動可能である。
【００３１】
第１の部分５と第２の部分６とは、引き込み形態と様々な延長形態との間で移動可能であり、図１〜図４で示される当該引き込み形態では、付属物８が内部空洞７内に実質的に挿入されるとともに第１の部分５および第２の部分６の内面５Ａ、６Ａがそれぞれ互いに接触しており、当該様々な延長形態では、たとえば図５で示されるように、第１の部分５および第２の部分６の対向面５Ａ、６Ａが、互いから所定間隔置かれるとともに付属物８が空洞７の外側に少なくとも一部分配置されている。
【００３２】
支持体１は、図５Ａでさらに詳細に示されるように、第１および第２の把持付属物２０、２１と、第１および第２の接続要素２２、２３とを備え、当該第１および第２の接続要素２２、２３は、例示された説明では、それぞれ第１の部分５と第２の部分６との内部において第１の把持付属物２０と第２の把持付属物２１とを本体２に接続するよう設計されている。
【００３３】
把持付属物２０、２１のそれぞれは、形状の点では実質的に台形であり、第１のエッジ３および第２のエッジ４にそれぞれ対向するように位置決めされるとともに、対応するエッジ３、４の形状に合致するように形作られた面２０Ａ、２１Ａを備えている。把持付属物２０、２１のそれぞれは、一対の横壁３０、３０′、３１、３１′と、面２０Ａ、２１Ａに対向するフリーウォール２０Ｂ、２１Ｂとをさらに備えている。
【００３４】
有利には、面２０Ａ、２１Ａは、本体２の対向エッジ３、４に対して実質的に平行である。
【００３５】
接続要素２２、２３のそれぞれは、ヘッド２７と、当該ヘッド２７からそれ自身の縦軸Ｚ′に沿って延びるネジ山ボディ２５とを有するネジ２４を備えている。
【００３６】
各ネジ２４のヘッド２７は、本体２の第１の部分５または第２の部分６においてそれぞれ規定されたシート２８に挿入され、当該シート２８は、ヘッド２７がシート２８の内部で回転できるように形作られる一方、ネジ山ボディ２５は、第１の把持付属物２０または第２の把持付属物２１内にそれぞれ設けられた締結シート２６に挿入されている。
【００３７】
例示された説明では、ネジ２４のネジ山ボディ２５は、それぞれの把持付属物２０、２１に締結および固定される一方、ヘッド２７は、シート２８の内部で自転してスライド可能である。
【００３８】
したがって、それぞれの把持付属物２０、２１の回転によってネジ２４が回転させられ、ヘッド２７が、第１および第２の部分５、６にそれぞれ設けられたシート２８の内部で回転する。
【００３９】
ネジ２４は、ネジ山ボディ２５の縦軸Ｚ′が把持付属物２０、２１の面２０Ａ、２１Ａに対してそれぞれ実質的に垂直であるように、位置決めされている。それぞれのネジ山ボディ２５の縦軸Ｚ′は、本体２に対してそれぞれの把持付属物２０、２１の方向付けのために回転軸を形成している。
【００４０】
こうして、それぞれの把持付属物２０、２１は、それぞれのネジ２４のネジ山ボディ２５の縦軸Ｚ′の回りに回転可能であり、以下にさらに十分に説明されるように、付属物が本体２に対して方向付けされ得るようになっている。
【００４１】
不図示の他の説明では、ネジのネジ山ボディは、本体２の内部に設けられてもよい一方、ネジのヘッドは、それぞれの把持付属物の内部に置かれ、および／または、ネジが本体２に固定されてもよく、把持付属物に対して回転可能であってもよい。
【００４２】
さらに、不図示の支持体の他の説明では、上述されたネジと異なる接続要素は、把持付属物と支持体１の本体との間に設けられてもよく、これらの要素は、把持付属物と支持体との間で相対的な回転を許容するように変形され、以下にさらに十分に説明されるように、把持付属物が本体に対して方向付けされ得るようになっている。
【００４３】
第１および第２の把持付属物２０、２１は、回転軸Ｚ′の回りで回転されてもよく、コンパクト輸送形態Ｗと操作形態Ｙとの間で本体２に対して移動されるようにし、当該コンパクト輸送形態Ｗでは、図１および図２で示されるように、付属物２０、２１が本体２と一直線に合わされ、支持体１が一般に平行六面体形状を持つようにしており、当該操作形態Ｙでは、図３〜図８で示されるように、第１および第２の把持付属物２０、２１は、本体２に対して横方向に位置決めされている。
【００４４】
有利には、第１および第２の把持付属物２０、２１は、回転軸Ｚ′の回りに１８０°まで回転され、コンパクト形態Ｗと操作形態Ｙとの間で動くようにしている。
【００４５】
したがって、コンパクト輸送形態Ｗでは、支持体１は、２つの把持付属物のフリーウォール２０Ｂ、２１Ｂによって縦軸Ｘに沿って範囲を定められ、本体２は、２つの把持付属物２０、２１と一直線に合わされるとともに当該把持付属物の間に介在されている。
【００４６】
逆に言うと、操作形態Ｙでは、第１および第２の把持付属物２０、２１は、本体２に対して横方向へ位置決めされ、図６〜図８で示されるとともに以下でさらに十分に説明されるように、１つの持運び可能な電子装置１００を受け入れおよび支持するよう設計された把持空洞５０を本体２と一緒に規定している。操作形態Ｙでは、第１および第２の把持付属物２０、２１は、把持空洞５０の横壁を規定し、本体２のベース面Ｓと、内部空洞７の外側に配置された付属物８のおそらく一部分とは、把持空洞５０の底壁「Ｍ」を規定している。
【００４７】
例示された説明では、上述のように、第１のエッジ３と第２のエッジ４と把持付属物２０、２１の端面２０Ａ、２１Ａとは、約４５°の角度αで本体２の縦軸Ｘに対して傾斜されている。
【００４８】
したがって、この説明において、操作形態Ｙでは、第１および第２の付属物２０、２１は、本体２の縦軸Ｘに対して実質的に垂直に配置され、すなわち、把持空洞５０は、底壁に対して実質的に垂直な横壁と一緒に規定され、文字「Ｃ」のように形作られている。
【００４９】
この説明では、把持空洞５０の開口、すなわち、把持付属物２０、２１の端面２０Ａ、２１Ａによって規定されるとともに底壁Ｓから最も遠くに設置された把持空洞５０の一部は、底壁Ｓの延長部分Ｍに実質的に等しい延長部分「Ｌ」を縦軸Ｘに沿って有している。不図示の他の説明では、第１のエッジ３と第２のエッジ４と把持付属物２０、２１の端面２０Ａ、２１Ａとが４５°より小さい角度αで本体２の縦軸Ｘに対して傾斜されている。
【００５０】
他の説明において、操作形態Ｙでは、第１および第２の把持付属物２０、２１は、本体２に対して傾斜され、それらの把持付属物が底壁Ｓから離れて延びるにつれ、横壁を互いに向けて近づけた状態で把持空洞５０が規定されるように、すなわち、開口が底壁Ｓよりも小さな寸法を持つ把持空洞５０が規定されるようにしている。
【００５１】
それぞれの把持付属物２０、２１は、シーリング要素３５を設けられ、それぞれの把持付属物２０、２１の横壁３０、３１に位置決めされ、操作形態Ｙにおいて他の把持付属物２０、２１に向けて、すなわち、把持空洞５０の内部に向けて回転されるよう設計されている。
【００５２】
シーリング要素３５は、１つの電子装置１００の側端縁１０１を受け入れかつ支持するように設計され、把持付属物２０、２１の側壁３０、３１から突出するように位置決めされている。シーリング要素３５は、ゴムからなり、または、装置１００の挿入を容易にするために有利には変形可能である他の材料からなる。
【００５３】
シーリング要素３５は、電子装置１００の把持をもっと安定にするとともに、当該装置に対する損傷を防止するために、優れた摩擦抵抗を持つ材質からなる。
【００５４】
シーリング要素３５は、凹状外形３５Ａを有し、把持空洞５０内での電子装置１００の位置決めを容易にするとともに、当該装置をよりぐらつかないようにしている。実際に、電子装置１００は、シーリング要素３５の凹面内に、例示された説明ではその中央エリア内に位置決めされるようにし、シーリング要素３５のエッジ部が、電子装置１００の側端縁１０１の周囲に部分的に包まれ、把持空洞５０からの当該装置の予想外の脱落を防止するようにしている。不図示の支持体の説明では、シーリング要素３５は、把持付属物上で規定された対応する収容空洞内で移動可能であってもよく、当該シーリング要素は、把持空洞５０の延長部分を局所的に変えて支持体への電子装置の挿入を容易にするために、対応する横壁３０、３１から離れておよび／またはその横壁３０、３１に向けて対応する収容空洞内で移動され得るようにしている。
【００５５】
有利には、スプリングまたは他の押し要素は、対応する収容空洞の外部に向けてシーリング要素３５を押し、支持体への電子装置の挿入後に把持空洞５０内に電子装置１００をクランプで固定するように設けられてもよい。この場合、電子装置１００を把持空洞５０に挿入するために、ある力が、押し要素に及ぼされる力に抗して作用されなければならない。
【００５６】
支持体１は、把持付属物２０、２１と本体２との間で相対的な方向を調整するため、および、把持付属物２０、２１と本体２との間で相対的な回転をロックするため、図９でより詳細に示されるような調整装置６０をさらに備えている。
【００５７】
調整装置６０は、コンパクト輸送形態Ｗまたは操作形態Ｙの何れかにおいて安定しているが可逆可能な方法で、第１および第２の把持付属物２０、２１にロックされ得るようにし、把持付属物２０、２１の望ましくない動き（移動）を防止するようにしている。
【００５８】
例示された説明では、把持付属物２０、２１のそれぞれ毎に、調整装置６０は、それぞれの把持付属物２０、２１に収容された一対のボール６１、６１Ａと、それぞれの把持付属物２０、２１にも収容されるとともに、把持付属部物２０、２１の外部に向けてボール６１、６１Ａを押すように予め負荷された２つのスプリング６２、６２Ａとを備えているので、ボール６１、６１Ａは、それぞれの把持付属物２０、２１の面２０Ａ、２１Ａから突出している。
【００５９】
面２０Ａ、２１Ａには、ボール６１、６１Ａの部分的な出現を許容するとともにそれらの完全な出現を防止するよう設計された一対の孔６４、６４Ａが設けられている。２つの凹部６３、６３ａが、本体２の第１および第２のエッジ３、４に形成され、ボール６１、６１Ａに対応する位置に配置されるとともに、これらのボール６１、６１Ａを受け入れるよう設計されている。
【００６０】
不図示の他の説明では、ボールは、本体２に設けられてもよく、第１および第２の傾斜エッジ３、４のそれぞれに設けられた適切な孔から部分的に突出するようし、それぞれの把持付属物２０、２１の面２０Ａ、２１Ａは、ボールを受け入れるよう設計された凹部を設けられている。
【００６１】
それぞれの把持付属物２０、２１の２つのボール６１、６１Ａと２つの凹部６３、６３Ａとは、回転軸Ｚ′に対して互いに１８０°で位置決めされている。
【００６２】
したがって、把持付属物２０、２１がコンパクト輸送形態Ｗと操作形態Ｙとの間で移動されるとき、それぞれの把持付属物２０、２１の２つのボール６１、６１Ａは、２つの凹部６３、６３Ａに代替の方法で収容され、すなわち、凹部／ボールの対は、それぞれの把持付属物２０、２１ごとに交換される。
【００６３】
したがって、凹部６３、６３Ａは、それらが把持付属物２０、２１の回転を調整するとともに、ボール６１、６１Ａがそれぞれの凹部６３、６３Ａに収容された時にその回転が終了するので、調整要素の役をも果たしている。
【００６４】
不図示の他の説明では、２つ以外の多くのボールおよび／または凹部は、それぞれの把持付属物２０、２１ごとに設けられてもよく、たとえば、４つのボールと４つの対応する凹部とが回転軸Ｚ′に対して９０°で配置されてもよい。
【００６５】
２つの把持付属物２０、２１のうち少なくとも１つには、三脚、一脚、または他の適切な支持装置に支持体１を締め付け固定するために使用されるよう設計された締結要素がまた設けられている。
【００６６】
例示された説明では、それぞれの把持付属物２０、２１には、支持体を別の支持要素に締め付け固定するためのネジ孔７０が設けられている。
【００６７】
ネジ孔７０は、操作形態Ｙでは、シート５０から反対方向へ対向するよう設計されたそれぞれの把持付属物２０、２１の横壁３０、３０′に設けられている。
【００６８】
不図示の他の説明では、締結要素は、本体２に設けられてもよい。
【００６９】
このように、発明に係る支持体は、電子装置１００がシート５０に挿入されている時に高画質動画を撮るために、一脚、三脚、またはビデオカメラ用のヘッドに締め付け固定されるようにしてもよい。
【００７０】
発明に係る支持体は、ナビゲーション装置用の支持体に締め付け固定され、たとえば、自動車に装着されてもよいので、シート５０に挿入された電子装置１００は、ナビゲータとして容易に使用され得る。
【００７１】
支持体１の本体２には、ゴムまたは他の適切な材料からなる少なくとも１つの挿入物であって、発明に係る支持体への電子装置１００の把持を向上するように設計された挿入物がまた設けられている。
【００７２】
例示の説明では、２つの個別のゴム製の挿入物４０、４１は、シート５０の底壁を形成する本体２のベース面Ｓに設けられている。
【００７３】
不図示の実施形態では、発明に係る支持体には、本体２に収容されるとともに、本体２に抗して２つの把持付属物２０、２１をクランプで固定するよう設計された弾性引張装置が設けられている。
【００７４】
有利には、弾性装置は、たとえば、らせん形ワイヤスプリング、ゴムひも、または他の類似の装置である。
【００７５】
弾性装置の２つの対向端は、本体２の第１の部分５と第２の部分６とにそれぞれ締め付け固定され、弾性装置は、第１および第２の把持付属物２０、２１を互いに抗して引っ張るとともに、それらを電子装置１００に抗してクランプで固定するように予め負荷されている。
【００７６】
有利には、弾性装置は、本体２の部分５、６の間に装着され、コンパクト輸送形態Ｗではこれらの部分の範囲内に収容されたままであるように形作られているので、当該弾性装置は、本体２から突出していない。
【００７７】
発明に係る支持体１は、コンパクト輸送形態Ｗでは、本体２を引っ込み位置にした状態、すなわち、縦軸Ｘに沿って最小の全体寸法を有する位置にした状態で通常構成されている。
【００７８】
本体２は、４０〜１００ｍｍの範囲の幅と、４〜２０ｍｍの範囲の厚さと、引き込まれた形態Ｗでは縦軸Ｘに沿って２０〜８０ｍｍの範囲の延長部分とを有している。
【００７９】
こうして、支持体１は、（シガレット）ライターの全体寸法に類似する全体寸法を有しているので、ひょっとしたらポケット内で容易に輸送されるかもしれない。
【００８０】
支持体１が持運び可能な電子装置を支持するために使用されなければならないとき、ユーザは、把持付属物２０、２１を握り、それらを回転軸Ｚ′の回りに１８０°まで回転し、したがって、支持体１を操作形態Ｙにする。
【００８１】
もし必要なら、ユーザは、縦軸Ｘに沿って本体２の全体にわたる延長部分を変えることにより、把持空洞５０の長さを変える。
【００８２】
この目的のために、ユーザは、ロック装置１０を解除し、空洞７から付属物８を部分的に引っ張り、その後にロック装置１０を再びロックする。
【００８３】
それから、ユーザは、把持空洞５０に電子装置を挿入し、その側端縁１０１をシーリング要素３５に向ける。
【００８４】
もし必要なら、電子装置１００が把持空洞５０内に位置決めされた後に、把持空洞５０のサイズは、本体２の第１および第２の部分５、６を互いに対して移動することによって、さらに調整されてもよい。
【００８５】
コンパクト形態Ｗから操作形態Ｙへの変形ではまたはその逆の場合でも同様に、それぞれの付属物の面２０Ａ、２１Ａは、それぞれの傾斜エッジ３、４に対してスライドする。
【図１】
2019508636.tif 000003
【図２】
2019508636.tif 000004
【図３】
2019508636.tif 000005
【図４】
2019508636.tif 000006
【図５】
2019508636.tif 000007
【図５Ａ】
2019508636.tif 000008
【図６】
2019508636.tif 000009
【図７】
2019508636.tif 000010
【図８】
2019508636.tif 000011
【図９】
2019508636.tif 000012
【国際調査報告】
2019508636.tif 000013
2019508636.tif 000014